(57)【特許請求の範囲】
【請求項１】
食事のためのユーザリストを取得することと、
前記ユーザリストに従って前記食事に用いられる第一の食材及びインテリジェント冷蔵庫内の前記第一の食材を処理する処理期間を取得することと、
前記インテリジェント冷蔵庫から前記第一の食材を取り出す第一の時点を決定することと、
前記処理期間及び前記第一の時点に従って前記インテリジェント冷蔵庫の動作モードを調整することと、
を備え、
前記ユーザリストに従って前記食事に用いられる前記第一の食材及び前記インテリジェント冷蔵庫内の前記第一の食材を処理する処理期間を取得することは、
前記ユーザリスト内のユーザのユーザ識別子に従ってユーザの端末から食べ物の嗜好情報を取得することと、
前記食べ物の嗜好情報に従って前記食事に用いられる前記第一の食材を決定することと、
前記インテリジェント冷蔵庫内の前記第一の食材の処理モードを取得し、かつ、前記処理モードに従って前記インテリジェント冷蔵庫内の前記第一の食材を処理する前記処理期間を決定することと、
を備えるモード調整方法。
【請求項２】
前記食事のためのユーザリストを取得することは、
ローカルエリアネットワークにアクセスする端末のユーザ識別子を取得し、かつ、前記端末の前記ユーザ識別子に従って前記食事のための前記ユーザリストを決定することと、又は、
登録ユーザの位置情報を取得し、かつ、前記インテリジェント冷蔵庫の位置情報までの距離が予め設定された距離よりも短い位置の登録ユーザに従って前記食事のための前記ユーザリストを決定することと、又は、
前記食事に参加するユーザを通信情報又はスケジュール情報から識別するために登録ユーザの前記通信情報又は前記スケジュール情報を取得し、かつ、前記食事に参加する前記ユーザに従って前記食事のための前記ユーザリストを決定することと、
を備える請求項１記載のモード調整方法。
【請求項３】
前記インテリジェント冷蔵庫から前記第一の食材を取り出す前記第一の時点を決定することは、
前記食事と同じカテゴリの第二の食材を取り出す時間記録を履歴から取得し、かつ、前記インテリジェント冷蔵庫から前記第一の食材を取り出す第一の時点として前記時間記録の平均値を決定すること、又は、
前記ユーザリスト内のユーザの位置情報及び移動速度を取得し、前記ユーザリスト内の前記ユーザの前記位置情報及び前記移動速度に従って前記ユーザリスト内の前記ユーザが自宅に着く第二の時点を演算し、かつ、前記第二の時点に従って前記インテリジェント冷蔵庫から前記第一の食材を取り出す前記第一の時点を決定すること、
を備える請求項１から２のいずれか記載のモード調整方法。
【請求項４】
前記処理期間及び前記第一の時点に従って前記インテリジェント冷蔵庫の動作モードを調整することは、
前記インテリジェント冷蔵庫内の前記第一の食材の処理モード及び前記第一の食材が格納される格納エリアを取得することと、
前記格納エリアの動作モードをオリジナルの動作モードから前記第一の時点より前の前記処理期間の第一の時刻における前記処理モードに対応する動作モードに調整することと、
を備える請求項１から３のいずれか記載のモード調整方法。
【請求項５】
さらに、前記第一の食材が前記第一の時点で取り出されないことが検出される場合に前記第一の食材を取り出す第三の時点を決定し、かつ、前記格納エリアの動作モードを前記オリジナルの動作モードに設定することと、
前記格納エリアの前記動作モードを前記オリジナルの動作モードから前記第三の時点より前の前記処理期間の第二の時刻における前記処理モードに対応する前記動作モードに調整することと、
を備える請求項４記載のモード調整方法。
【請求項６】
食事のためのユーザリストを取得するように構成される第一の取得モジュールと、
前記ユーザリストに従って前記食事に用いられる第一の食材及びインテリジェント冷蔵庫内の前記第一の食材を処理する処理期間を取得するように構成される第二の取得モジュールと、
前記インテリジェント冷蔵庫から前記第一の食材を取り出す第一の時点を決定するように構成される決定モジュールと、
前記処理期間及び前記第一の時点に従って前記インテリジェント冷蔵庫の動作モードを調整するように構成される調整モジュールと、
を備え、
前記第二の取得モジュールは、
前記ユーザリスト内のユーザのユーザ識別子に従ってユーザの端末から食べ物の嗜好情報を取得するように構成される第四の取得ユニットと、
前記食べ物の嗜好情報に従って前記食事に用いられる前記第一の食材を決定するように構成される第一の決定ユニットと、
前記インテリジェント冷蔵庫内の前記第一の食材の処理モードを取得するように構成される第五の取得ユニットと、
前記処理モードに従って前記インテリジェント冷蔵庫内の前記第一の食材を処理する処理期間を決定するように構成される第二の決定ユニットと、
を備えるモード調整装置。
【請求項７】
前記第一の取得モジュールは、
ローカルエリアネットワークにアクセスする端末のユーザ識別子を取得し、かつ、前記端末の前記ユーザ識別子に従って前記食事のための前記ユーザリストを決定するように構成される第一の取得ユニットと、
登録ユーザの位置情報を取得し、かつ、前記インテリジェント冷蔵庫の位置情報までの距離が予め設定された距離よりも短い位置にいる登録ユーザに従って前記食事のための前記ユーザリストを決定するように構成される第二の取得ユニットと、
前記食事に参加するユーザを前記通信情報又は前記スケジュール情報から識別するために登録ユーザの前記通信情報又は前記スケジュール情報を取得し、かつ、前記食事に参加する前記ユーザに従って前記食事のための前記ユーザリストを決定するように構成される第三の取得ユニットと、
を備える請求項６記載のモード調整装置。
【請求項８】
前記決定モジュールは、
前記食事と同じカテゴリの第二の食材を取り出す時間記録を履歴から取得するように構成される第六の取得ユニットと、
前記インテリジェント冷蔵庫から前記第一の食材を取り出す前記第一の時点として前記時間記録の平均値を決定するように構成される第三の決定ユニットと、
前記ユーザリスト内のユーザの位置情報及び移動速度を取得するように構成される第七の取得ユニットと、
前記ユーザリスト内の前記ユーザの前記位置情報及び前記移動速度に従って前記ユーザリスト内の前記ユーザが自宅に着く第二の時点を演算するように構成される演算ユニットと、
前記第二の時点に従って前記インテリジェント冷蔵庫から前記第一の食材を取り出す前記第一の時点を決定するように構成される第四の決定ユニットと、
を備える請求項６から７のいずれか記載のモード調整装置。
【請求項９】
前記調整モジュールは、
前記インテリジェント冷蔵庫内の前記第一の食材の処理モード及び前記第一の食材が格納される格納エリアを取得するように構成される第八の取得ユニットと、
前記格納エリアの動作モードをオリジナルの動作モードから前記第一の時点より前の前記処理期間の第一の時刻における前記処理モードに対応する動作モードに調整するように構成される第一の調整ユニットと、
を備える請求項６から８のいずれか記載のモード調整装置。
【請求項１０】
前記調整モジュールは、さらに、
前記第一の食材が前記第一の時点で取り出されないことが検出される場合に前記第一の食材を取り出す第三の時点を決定するように構成される第五の決定ユニットと、
前記格納エリアの前記動作モードを前記オリジナルの動作モードに設定するように構成される設定ユニットと、
前記格納エリアの動作モードを、オリジナルの動作モードから、前記第三の時点より前の前記処理期間の第二の時刻における前記処理モードに対応する動作モードに調整するように構成される第二の調整ユニットと、
を備える請求項９記載のモード調整装置。
【請求項１１】
コンピュータがランしている場合に、請求項１から５のいずれか記載のモード調整方法を前記コンピュータに実行させるコンピュータプログラム。
【請求項１２】
そこに記憶される請求項１１に記載のコンピュータプログラムを備える、コンピュータ読取可能な記憶媒体。
【発明の詳細な説明】
【技術分野】
【０００１】
関連出願の相互参照
本出願は、２０１５年７月３１日に提出された中国特許出願第２０１５１０４６３４３９．２に基づく優先権を主張し、その全文を参照によって、本明細書に取り込まれたものとする。
本開示は、インテリジェント家電技術分野に関し、特に、モード調整方法及びモード調整装置に関する。
【背景技術】
【０００２】
生活水準が上がるにつれて、冷蔵庫は、ユーザの食べ物に大きな利便性をもたらす,
各家庭に必須の設備となっている。
【０００３】
食材を調理する前に、食材の前処理のために冷蔵庫の操作モードを、毎回、手動で設定し、かつ、前処理後に続く調理操作を行うために食材を出すことが必要となる。例えば、ユーザは肉を調理する前に冷蔵庫の肉格納エリアを解凍モードに設定する必要があり、かつ、解凍処理が完了した後は調理のために食材を出す必要がある。
【発明の概要】
【発明が解決しようとする課題】
【０００４】
従来技術の課題を解決するために、本開示の実施形態は、モード調整方法及びモード調整装置を提供する。技術的解決策は以下に示される。
【課題を解決するための手段】
【０００５】
本開示の実施形態の第一の態様によれば、モード調整方法が提供される。前記方法は、食事のためのユーザリストを取得することと、前記ユーザリストに従って前記食事に用いられる第一の食材及びインテリジェント冷蔵庫内の前記第一の食材を処理する処理期間を取得することと、前記インテリジェント冷蔵庫から前記第一の食材を取り出す第一の時点を決定することと、前記処理期間及び前記第一の時点に従って前記インテリジェント冷蔵庫の動作モードを調整することと、を含む。
【０００６】
あるいは、前記食事のためのユーザリストを取得するステップは、ローカルエリアネットワークにアクセスする端末のユーザ識別子を取得し、かつ、前記端末の前記ユーザ識別子に従って前記食事のための前記ユーザリストを決定することと、又は、登録ユーザの位置情報を取得し、かつ、インテリジェント冷蔵庫の位置情報までの距離が予め設定された距離よりも短い位置の登録ユーザに従って前記食事のための前記ユーザリストを決定することと、又は、前記食事に参加するユーザを通信情報又はスケジュール情報から識別するために登録ユーザの前記通信情報又は前記スケジュール情報を取得し、かつ、前記食事に参加する前記ユーザに従って前記食事のための前記ユーザリストを決定することと、を含む。
【０００７】
あるいは、前記ユーザリストに従って前記食事に用いられる前記第一の食材及び前記インテリジェント冷蔵庫内の前記第一の食材を処理する処理期間を取得するステップは、前記ユーザリスト内のユーザのユーザ識別子に従って食べ物の嗜好情報を取得することと、前記食べ物の嗜好情報に従って前記食事に用いられる前記第一の食材を決定することと、前記インテリジェント冷蔵庫内の前記第一の食材の処理モードを取得し、かつ、前記処理モードに従って前記インテリジェント冷蔵庫内の前記第一の食材を処理する前記処理期間を決定することと、を含む。
【０００８】
あるいは、前記インテリジェント冷蔵庫から前記第一の食材を取り出す前記第一の時点を決定するステップは、前記食事と同じカテゴリの第二の食材を取り出す時間記録を履歴から取得し、かつ、前記インテリジェント冷蔵庫から前記第一の食材を取り出す前記第一の時点として前記時間記録の平均値を決定すること、又は、前記ユーザリスト内のユーザの位置情報及び移動速度を取得し、前記ユーザリスト内の前記ユーザの前記位置情報及び前記移動速度に従って前記ユーザリスト内の前記ユーザが自宅に着く第二の時点を演算し、かつ、前記第二の時点に従って前記インテリジェント冷蔵庫から前記第一の食材を取り出す前記第一の時点を決定すること、を含む。
【０００９】
あるいは、前記処理期間及び前記第一の時点に従って前記インテリジェント冷蔵庫の動作モードを調整するステップは、
前記インテリジェント冷蔵庫内の前記第一の食材の処理モード及び前記第一の食材が格納される格納エリアを取得することと、前記格納エリアの動作モードをオリジナルの動作モードから前記第一の時点より前の前記処理期間の第一の時刻における前記処理モードに対応する動作モードに調整することと、を含む。
【００１０】
あるいは、本方法は、さらに、前記第一の食材が前記第一の時点で取り出されないことが検出される場合に前記第一の食材を取り出す第三の時点を決定し、かつ、前記格納エリアの動作モードを前記オリジナルの動作モードに設定することと、前記格納エリアの前記動作モードを前記オリジナルの動作モードから前記第三の時点より前の前記処理期間の第二の時刻における前記処理モードに対応する前記動作モードに調整することと、を含む。
【００１１】
本開示の実施形態の第二の態様によれば、モード調整装置が提供される。前記装置は、食事のためのユーザリストを取得するように構成される第一の取得モジュールと、前記ユーザリストに従って前記食事に用いられる第一の食材及びインテリジェント冷蔵庫内の前記第一の食材を処理する処理期間を取得するように構成される第二の取得モジュールと、前記インテリジェント冷蔵庫から前記第一の食材を取り出す前記第一の時点を決定するように構成される決定モジュールと、前記処理期間及び前記第一の時点に従って前記インテリジェント冷蔵庫の動作モードを調整するように構成される調整モジュールと、を含む。
【００１２】
あるいは、前記第一の取得モジュールは、ローカルエリアネットワークにアクセスする端末のユーザ識別子を取得し、かつ、前記端末の前記ユーザ識別子に従って前記食事のための前記ユーザリストを決定するように構成される第一の取得ユニットと、登録ユーザの位置情報を取得し、かつ、インテリジェント冷蔵庫の位置情報までの距離が予め設定された距離よりも短い位置にいる登録ユーザに従って前記食事のための前記ユーザリストを決定するように構成される第二の取得ユニットと、前記食事に参加するユーザを前記通信情報又は前記スケジュール情報から識別するために登録ユーザの前記通信情報又は前記スケジュール情報を取得し、かつ、前記食事に参加する前記ユーザに従って前記食事のための前記ユーザリストを決定するように構成される第三の取得ユニットと、を含む。
【００１３】
あるいは、前記第二の取得モジュールは、前記ユーザリスト内のユーザのユーザ識別子に従って食べ物の嗜好情報を取得するように構成される第四の取得ユニットと、前記食べ物の嗜好情報に従って前記食事に用いられる前記第一の食材を決定するように構成される第一の決定ユニットと、前記インテリジェント冷蔵庫内の前記第一の食材の処理モードを取得するように構成される第五の取得ユニットと、前記処理モードに従って前記インテリジェント冷蔵庫内の前記第一の食材を処理する処理期間を決定するように構成される第二の決定ユニットと、を含む。
【００１４】
あるいは、前記決定モジュールは、前記食事と同じカテゴリの第二の食材を取り出す時間記録を履歴から取得するように構成される第六の取得ユニットと、前記インテリジェント冷蔵庫から前記第一の食材を取り出す前記第一の時点として前記時間記録の平均値を決定するように構成される第三の決定ユニットと、前記ユーザリスト内のユーザの位置情報及び移動速度を取得するように構成される第七の取得ユニットと、前記ユーザリスト内の前記ユーザの前記位置情報及び前記移動速度に従って前記ユーザリスト内の前記ユーザが自宅に着く第二の時点を演算するように構成される演算ユニットと、前記第二の時点に従って前記インテリジェント冷蔵庫から前記第一の食材を取り出す前記第一の時点を決定するように構成される第四の決定ユニットと、を含む。
【００１５】
あるいは、前記調整モジュールは、前記インテリジェント冷蔵庫内の前記第一の食材の処理モード及び前記第一の食材が格納される格納エリアを取得するように構成される第八の取得ユニットと、前記格納エリアの動作モードをオリジナルの動作モードから前記第一の時点より前の前記処理期間の第一の時刻における前記処理モードに対応する動作モードに調整するように構成される第一の調整ユニットと、を含む。
【００１６】
あるいは、前記調整モジュールは、さらに、前記第一の食材が前記第一の時点で取り出されないことが検出される場合に前記第一の食材を取り出す第三の時点を決定するように構成される第五の決定ユニットと、前記格納エリアの前記動作モードを前記オリジナルの動作モードに設定するように構成される設定ユニットと、前記格納エリアの前記動作モードをオリジナルの動作モードから前記第三の時点より前の前記処理期間の第二の時刻における前記処理モードに対応する動作モードに調整するように構成される第二の調整ユニットと、を含む。
【００１７】
本開示の実施形態の第三の態様によれば、モード調整装置が提供される。前記装置は、プロセッサと、前記プロセッサによって実行可能な命令を記憶するように構成されるメモリとを含み、前記プロセッサは、食事のためのユーザリストを取得し、前記ユーザリストに従って前記食事に用いられる第一の食材及びインテリジェント冷蔵庫内の前記第一の食材を処理する処理期間を取得し、前記インテリジェント冷蔵庫から前記第一の食材を取り出す前記第一の時点を決定し、前記処理期間及び前記第一の時点に従って前記インテリジェント冷蔵庫の動作モードを調整する、ように構成される。
【００１８】
本開示の実施形態によれば、技術的解決策は、以下の効果を含むことができる。
【００１９】
食事のためのユーザリストを決定することと、ユーザリストに従って食事に用いられる食材及び食材を処理する処理期間を決定することと、食材を取り出す第一の時点を決定することとによって、冷蔵庫の動作モードが、第一の時点及び処理期間に従って調整される。このようにして、ユーザが食材を取り出す前に、冷蔵庫の動作モードの自動的な調整を達成できる。その結果、ユーザが食材を取り出す前に、冷蔵庫が前処理を完了させるので、冷蔵庫による食材の前処理効率、及び、マンマシンインタラクションが改善される。
【００２０】
本明細書に取り込まれ、かつ、本明細書の一部を構成する添付の図面は、本開示に一致する実施形態を例証し、かつ、本説明と共に、本開示の原理を明白にすることに供される。
【図面の簡単な説明】
【００２１】
【図１】本開示の例示的な実施形態に従うモード調整方法のフローチャートである。
【図２】本開示の例示的な実施形態に従うモード調整方法のフローチャートである。
【図３】本開示の例示的な実施形態に従うモード調整方法のフローチャートである。
【図４】本開示の例示的な実施形態に従うモード調整装置のブロック図である。
【図５】本開示の例示的な実施形態に従うモード調整装置における第一の取得モジュールのブロック図である。
【図６】本開示の例示的な実施形態に従うモード調整装置における第二の取得モジュールのブロック図である。
【図７】本開示の例示的な実施形態に従うモード調整装置における決定モジュールのブロック図である。
【図８】本開示の例示的な実施形態に従うモード調整装置における調整モジュールのブロック図である。
【図９】本開示の例示的な実施形態に従うモード調整装置のブロック図である（インテリジェントデバイスの一般的な構造）。
【発明を実施するための形態】
【００２２】
本開示の実施形態は、本開示の目的、技術的解決策、及び、利点をより明らかにするために、添付の図面を参照して更に詳細に説明されるであろう。
【００２３】
本開示の例示的な実施形態は、モード調整方法を提供する。図１を参照すると、本開示の実施形態は、インテリジェントデバイスに適用され、かつ、本方法は、以下のステップを含む。
【００２４】
ステップ１０１では、食事のためのユーザリストが、取得される。
【００２５】
ステップ１０２では、食事に用いられる食材及びインテリジェント冷蔵庫内の食材を処理する処理期間が、ユーザリストに従って取得される。
【００２６】
ステップ１０３では、インテリジェント冷蔵庫から食材を取り出す第一の時点が、決定される。
【００２７】
ステップ１０４では、インテリジェント冷蔵庫の動作モードが、処理期間及び第一の時点に従って調整される。
【００２８】
本開示のこの実施形態は、ディナーを食べる人の数に従って冷蔵庫内に食材を格納する動作モードを調整することができるインテリジェント冷蔵庫に適用され、かつ、ディナーを食べる人は、冷蔵庫内の新鮮な野菜、果物、冷凍肉等の食材をインテリジェント冷蔵庫から確実に取り出すであろう。このように、食事のためのユーザリスト内のユーザ数及びユーザ識別子に従ってインテリジェント冷蔵庫から取り出される食材の内容と量とを決定すること、及び、食材の前処理のためにインテリジェント冷蔵庫の動作モードを手動で調整することなく食材を直接処理することが容易になるように、取り出される食材に従ってインテリジェント冷蔵庫の動作モードを調整すること、が可能となる。
【００２９】
本開示のこの実施形態では、食事のためのユーザリストを決定することと、ユーザリストに従って食事に用いられる食材及び食材を処理する処理期間を決定することと、食材を取り出す第一の時点を決定することとによって、冷蔵庫の動作モードが、第一の時点及び処理期間に従って調整される。このようにして、ユーザが食材を取り出す前に、冷蔵庫の動作モードの自動的な調整を達成できる。その結果、ユーザが食材を取り出す前に、冷蔵庫が前処理を完了させるので、冷蔵庫による食材の前処理効率、及び、マンマシンインタラクションが改善される。
【００３０】
本開示の別の例示的な実施形態は、モード調整方法を提供する。図２を参照すると、本開示の実施形態は、インテリジェントデバイスに適用され、本方法は、以下のステップを含む。
【００３１】
ステップ２０１では、食事のためのユーザリストが、取得される。このステップは、食材を取り出し、かつ、処理する前の所定の時点で、トリガーされかつ実行される。
【００３２】
このステップを実行する時点は、以下のような方法で取得することができる。すなわち、食事のカテゴリに従って同じカテゴリの対応する食材を取り出す時間記録を履歴から選択し、複数の時間記録の平均値を演算し、そして、インテリジェント冷蔵庫内の様々な食材の最長処理期間を演算される平均値に従って前もって推測することができる。
【００３３】
食事のカテゴリは、朝食、昼食、夕食等を意味してもよい。インテリジェント冷蔵庫内のＨｉＷｉＦｉルータは、各カテゴリに対応する食材を取り出す履歴を受け取る。
【００３４】
インテリジェント冷蔵庫の場合、インテリジェント冷蔵庫のパラメータとその機能とを設定するために、ユーザは、端末内のインテリジェント冷蔵庫を制御するための管理アプリケーションを介して、インテリジェント冷蔵庫に事前にログインすることができる。接続モードは、無線方式を介して、端末とインテリジェント冷蔵庫との間で確立される直接接続の通信モードであってもよいし、又は、端末とインテリジェント冷蔵庫とによって同時にアクセスされるネットワークアクセスデバイス（ルータ等）を通じた端末とインテリジェント冷蔵庫との間の通信であってもよい。
【００３５】
ユーザが端末を通じてインテリジェント冷蔵庫にログインした後、家族を登録によってインテリジェント冷蔵庫の管理アプリケーションの登録ユーザとすることが可能であり、その登録情報は、ユーザ識別子、性別、年齢、体重、食べ物の嗜好等とすることができる。インテリジェント冷蔵庫は、登録情報に従って登録ユーザに食べ物についての推薦を提供し、かつ、その食べ物の嗜好に従って特定の時点で動作モードを調整することができる。その結果、ユーザは、食事の前に前処理された食材を取得することができて、ユーザが食材を処理することが便利になる。
【００３６】
あるいは、登録ユーザは、その対応関係をクラウドサーバに記録することが必要な、自分自身のユーザ識別子をインテリジェント冷蔵庫と関係付けることができる。その結果、インテリジェント冷蔵庫は、上記の内容に従ってより正確にインテリジェント冷蔵庫の動作モードを制御するために、ネットワークにアクセスすることによってクラウドサーバに照会を送信し、ユーザ識別子に対応する、位置情報、通信情報、及び、スケジュール情報を取得することができる。
【００３７】
ステップ２０１での食事のためのユーザリストの取得方法は、３つの状況で決定することができる。すなわち、ステップ２０１は、以下のステップによって実現することができる。
【００３８】
第一の状況
【００３９】
ステップ２０１１では、現在のローカルエリアネットワークにアクセスする端末のユーザ識別子が、取得され、かつ、食事のためのユーザリストが、ユーザ識別子に従って決定される。
【００４０】
この状況では、インテリジェント冷蔵庫は、ネットワークアクセスデバイスによってアクセスされる端末数及び各端末に対応するユーザ識別子を照会するために用いられる照会要求を、それ自体に接続されるネットワークアクセスデバイスへ送信することができる。ネットワークアクセスデバイスは、現在アクセスしている端末及び各端末に対応するユーザ識別子を、インテリジェント冷蔵庫にフィードバックするであろう。それから、インテリジェント冷蔵庫は、ネットワークアクセスデバイスからの情報に従って現在何人のユーザが家の中にいるかを判断し、これらのユーザは食事のためのユーザとみなされる。ユーザリストの内容は、各端末に対応するユーザ識別子である。
【００４１】
第二の状況
【００４２】
ステップ２０１２では、登録ユーザの位置情報が、取得され、かつ、食事のためのユーザリストが、インテリジェント冷蔵庫の位置情報が予め設定された距離よりも近くである登録ユーザに従って決定される。
【００４３】
この状況では、各ユーザの端末は、端末自体の位置情報をクラウドサーバに定期的に報告する。インテリジェント冷蔵庫は、登録ユーザのユーザ識別子をキャリーしている位置照会要求をクラウドサーバに送信する。クラウドサーバは、位置照会要求におけるユーザ識別子に従って対応する位置情報を取得し、かつ、対応する位置情報をインテリジェント冷蔵庫にフィードバックする。最初に作動させるときに、インテリジェント冷蔵庫は、自端末の位置情報を取得することができ、又は、登録ユーザの位置情報を毎回照会する場合に、測位によって自端末の位置情報を取得することができる。
【００４４】
予め設定する距離よりも短い距離を判断する方法は、特定の時間内に自宅に到着することのできるユーザを判断することであり、それから、そのユーザを食事のためのユーザとみなす。例えば、仕事から帰宅する時点の履歴に従って時刻閾値を決定し、かつ、インテリジェント冷蔵庫の位置とユーザ位置との間の距離、及び、ユーザの現在の移動速度に従って、時刻閾値より前にユーザが到着することができるかどうかを判断することが可能である。
【００４５】
第三の状況
【００４６】
ステップ２０１３では、登録ユーザの通信情報又はスケジュール情報が、通信情報又はスケジュール情報から食事に参加するユーザを識別するために取得され、かつ、食事に参加するユーザに従って食事のためのユーザリストが、決定される。
【００４７】
この状況では、各ユーザの端末は、チャット記録及び電子メール記録等を含むことができる端末自体の通信情報と、スケジュール情報とをクラウドサーバに定期的に報告する。インテリジェント冷蔵庫は、通信情報又はスケジュール情報を照会するために、登録ユーザのユーザ識別子をキャリーしている要求をクラウドサーバに送信する。クラウドサーバは、ユーザ識別子に従って対応する通信情報又はスケジュール情報を取得し、それらの情報をインテリジェント冷蔵庫にフィードバックする。インテリジェント冷蔵庫は、受信した通信情報又はスケジュール情報を意味的に識別すること、すなわち、登録ユーザが仕事中であるかどうか、又は、友人若しくは訪問者がいるかどうかを判断するために、予め設定されたキーワードを識別することができる。予め設定されたキーワードは、「仕事中」、「訪問」、又は、如何なる時刻及び日付を含む任意の内容としてもよい。食事のためのユーザリストは、上記の内容に従って決定することができる。
【００４８】
ユーザが仕事中に食事をすると識別される場合、そのユーザは、食事のためのユーザリストにいないであろう。友人が来ると識別される場合、その友人のユーザ識別子は、食事のためのユーザリスト内にリストアップされる必要がある。
【００４９】
あるいは、インテリジェント冷蔵庫は、登録ユーザの端末内のアドレス帳を事前に取得することができ、かつ、アドレス帳のコンタクト情報に従って、通信情報又はスケジュール情報からコンタクト情報を識別することができる。これにより、インテリジェント冷蔵庫は、食事のためのユーザをより正確に識別することができ、このように、これらのユーザの対応する食べ物の嗜好情報を取得することができる。最終的に、食べ物の嗜好情報に従って、インテリジェント冷蔵庫内で前処理する必要がある食材を決定することが可能となる。
【００５０】
あるいは、本明細書では定義されないであろうが、食事のためのユーザリストを決定するとともに、ステップ２０１１、ステップ２０１２及びステップ２０１３を実行してもよいし、又は、食事のためのユーザリストを決定するために、単一のステップを個別に実行してもよい。
【００５１】
あるいは、食事のためのユーザリストが空の場合、ステップ２０１が次回実行されるまで、インテリジェント冷蔵庫はオリジナルの動作モードのままである。
【００５２】
ステップ２０２では、食事に用いられる食材及びインテリジェント冷蔵庫内の食材を処理する処理期間が、ユーザリストに従って取得される。
【００５３】
ステップ２０２は、以下のステップによって実現することができる。
【００５４】
ステップ２０２１では、対応する食べ物の嗜好情報が、ユーザリスト内のユーザのユーザ識別子に従って取得される。
【００５５】
食べ物の嗜好情報は、登録時にユーザによって端末の管理アプリケーションに入力され、格納のために端末によってインテリジェント冷蔵庫に転送され、又は、格納のために端末によってクラウドサーバに転送される。インテリジェント冷蔵庫は、ローカルの格納エリアから各ユーザの食べ物の嗜好情報を取得することができ、また、クラウドサーバは、各ユーザの食べ物の嗜好情報を取得することができる。さらに、食事のためのユーザリストが非登録ユーザを含む場合、非登録ユーザの食べ物の嗜好情報を取得するために、ユーザの食べ物の嗜好を照会するための要求が、ユーザリスト内のユーザ識別子に基づいてクラウドサーバに送信される。
【００５６】
ステップ２０２２では、食事に用いられる食材が、食べ物の嗜好情報に従って決定される。
【００５７】
食材は、食べ物の嗜好情報に従って決定される。例えば、食べ物の嗜好情報がステーキである場合、必要な食材は牛肉であり、食べ物の嗜好情報が菜食主義である場合、用いられる食材は野菜である。
【００５８】
食材は、それ相応に冷蔵庫内の異なる格納エリアに置かれるので、食材が決定された後、食材の位置が決定される。
【００５９】
インテリジェント冷蔵庫は、ビデオのスキャンニングによって各格納エリアに格納されている食材を判断することができ、また、ユーザは、各格納エリアに格納されるストック食材について予め設定した後、各格納エリアの指示に従って食材を整理し、格納することができる。
【００６０】
ステップ２０２３では、インテリジェント冷蔵庫内の食事に用いられる食材の処理モードが、取得され、かつ、インテリジェント冷蔵庫内の食事に用いられる食材を処理する処理期間が、処理モードに従って決定される。
【００６１】
異なる食材は、異なる方式で前処理される。例えば、調理前の冷凍肉の前処理は解凍することであるので、対応する処理モードは解凍モードとすることができる。食べる前の野菜の前処理は滅菌であるので、対応する処理モードは滅菌モードとすることができる。食べる前のフルーツの前処理は熟成であるので、対応する処理モードは熟成モードとすることができる。結果的に、インテリジェント冷蔵庫内の各食材に対応する処理モードを予め設定することが可能となる。
【００６２】
各処理モードは、異なる処理期間に対応する。例えば、解凍モードは３０分間を必要とし、滅菌モードは１０分間を必要とし、熟成モードは２０分間を必要とする。したがって、インテリジェント冷蔵庫の各処理モードに対応する処理期間を予め設定することが可能となる。
【００６３】
ステップ２０３では、インテリジェント冷蔵庫から食事に用いられる食材を取り出す第一の時点が、決定される。
【００６４】
第一の時点は、食材を調理するためにインテリジェント冷蔵庫から食材を出す時点を表しており、かつ、自宅への到着時点と調理開始時点という２つの要素を考慮する必要がある。
【００６５】
したがって、ステップ２０３は、２つの状況で実現することができる。
【００６６】
ステップ２０３１では、食事と同じカテゴリの食材を取り出す時間記録が、履歴から取得され、かつ、時間記録の平均値が、インテリジェント冷蔵庫から食事に用いられる食材を取り出す第一の時点として決定される。
【００６７】
ステップ２０３２では、ユーザリスト内のユーザの位置情報及び移動速度が、取得され、ユーザが自宅に着く第二の時点が、ユーザの位置情報及び移動速度に従って演算され、かつ、インテリジェント冷蔵庫から食事に用いられる食材を取り出す第一の時点が、第二の時点に従って決定される。
【００６８】
本明細書では定義されないであろうが、ステップ２０３１及びステップ２０３２は、それぞれ第一の時点が演算され、かつ、２つの結果のうち遅い方が、選択され、又は、ステップ２０３１及びステップ２０３２のいずれかが、第一の時点を演算するために選択される。
【００６９】
ステップ２０４では、インテリジェント冷蔵庫の動作モードが、処理期間及び第一の時点に従って調整される。
【００７０】
ステップ２０４１では、インテリジェント冷蔵庫内における食事に用いられる食材の処理モード及びその食材の格納エリアが、取得される。
【００７１】
ステップ２０４２では、格納エリアの動作モードが、オリジナルの動作モードから第一の時点より前の処理期間の第一の時刻における処理モードに対応する動作モードに、調整される。
【００７２】
例えば、食材が冷凍肉であり、第一の時点が午後６：００であり、かつ、処理期間が３０分間持続する場合、冷凍肉の格納エリアの動作モードを、格納エリアが解凍モードになるように調整する必要がある。
【００７３】
本開示の別の例示的な実施形態は、モードの調整方法を提供する。図３を参照すると、本開示の実施形態は、インテリジェントデバイスに適用され、かつ、本方法は以下のステップを含む。
【００７４】
ステップ３０１では、食事に用いられる食材が第一の時点で取り出すことができないことが検出される場合、食事に用いられる食材を取り出す第三の時点が、再度決定され、かつ、格納エリアの動作モードが、調整前のオリジナルの動作モードに設定される。
【００７５】
ユーザリストが空でなく、かつ、事象が発生する場合に、このステップを実行することができる。例えば、ユーザのスケジュールが変更され、第一の時点で自宅に着くことができず、かつ、食材を取り出すことが不可能である場合に、このステップが、行われる。このように、動作モードを再度調整する必要がある。
【００７６】
あるいは、第一の時点で食材を取り出すことが不可能であることの検出方法は、第一の時点より前の特定の時間間隔でユーザの位置情報又はスケジュール情報を、定期的に検出してもよい。
【００７７】
ユーザの位置とインテリジェント冷蔵庫の位置との間の距離及び現在の移動速度に従って、ユーザが第一の時点に到着することができないと判断される場合、第三の時点は、移動速度及び距離に従って演算される。例えば、帰宅途中に交通渋滞がある場合、自宅に着く第三の時点は、ユーザの位置情報及び走行速度に従って再度演算される。
【００７８】
さらに、ユーザのスケジュールが変更される場合、例えば、出張がスケジュール情報に出現する場合、第三の時点は、ユーザが帰宅した後の最初の食事の時点である。
【００７９】
ステップ３０２では、格納エリアの動作モードが、オリジナルの動作モードから第三の時点より前の処理期間の第二の時刻における処理モードに対応する動作モードに、調整される。
【００８０】
本開示のこの実施形態では、食事のためのユーザリストを決定することと、ユーザリストに従って食事に用いられる食材及び食材を処理する処理期間を決定することと、食材を取り出すための第一の時点を決定することとによって、冷蔵庫の動作モードが、第一の時点及び処理期間に従って調整される。このようにして、ユーザが食材を取り出す前に、冷蔵庫の動作モードの自動的な調整を達成できる。その結果、ユーザが食材を取り出す前に、冷蔵庫が前処理を完了させるので、冷蔵庫による食材の前処理効率、及び、マンマシンインタラクションが改善される。
【００８１】
本開示の例示的な実施形態は、本開示において提供されるモード調整方法を実現することができるモード調整装置を提供する。図４を参照すると、本装置は、食事のためのユーザリストを取得するように構成される第一の取得モジュール４０１と、ユーザリストに従って食事に用いられる第一の食材及びインテリジェント冷蔵庫内の第一の食材を処理する処理期間を取得するように構成される第二の取得モジュール４０２と、インテリジェント冷蔵庫から第一の食材を取り出す第一の時点を決定するように構成される決定モジュール４０３と、処理期間及び第一の時点に従ってインテリジェント冷蔵庫の動作モードを調整するように構成される調整モジュール４０４と、を含む。
【００８２】
図５に示すように、第一の取得モジュール４０１は、ローカルエリアネットワークにアクセスする端末のユーザ識別子を取得し、かつ、端末のユーザ識別子に従って食事のためのユーザリストを決定するように構成される第一の取得ユニット４０１１と、登録ユーザの位置情報を取得し、かつ、インテリジェント冷蔵庫の位置情報までの距離が予め設定された距離よりも短い位置の登録ユーザに従って食事のためのユーザリストを決定するように構成される第二の取得ユニット４０１２と、食事に参加するユーザを通信情報又はスケジュール情報から識別するために登録ユーザの通信情報又はスケジュール情報を取得し、かつ、食事に参加するユーザに従って食事のためのユーザリストを決定するように構成される第三の取得ユニット４０１３と、を含む。
【００８３】
図６に示すように、第二の取得モジュール４０２は、ユーザリスト内のユーザのユーザ識別子に従って食べ物の嗜好情報を取得するように構成される第四の取得ユニット４０２１と、食べ物の嗜好情報に従って食事に用いられる第一の食材を決定するように構成される第一の決定ユニット４０２２と、インテリジェント冷蔵庫内の第一の食材の処理モードを取得するように構成される第五の取得ユニット４０２３と、処理モードに従ってインテリジェント冷蔵庫内の第一の食材を処理する処理期間を決定するように構成される第二の決定ユニット４０２４と、を含む。
【００８４】
図７に示すように、決定モジュール４０３は、食事と同じカテゴリの第二の食材を取り出す時間記録を履歴から取得するように構成される第六の取得ユニット４０３１と、インテリジェント冷蔵庫から第一の食材を取り出す第一の時点として時間記録の平均値を決定するように構成される第三の決定ユニット４０３２と、ユーザリスト内のユーザの位置情報及び移動速度を取得するように構成される第七の取得ユニット４０３３と、ユーザリスト内のユーザの位置情報及び移動速度に従ってユーザリスト内のユーザが自宅に着く第二の時点を演算するように構成される演算ユニット４０３４と、第二の時点に従ってインテリジェント冷蔵庫から第一の食材を取り出す第一の時点を決定するように構成される第四の決定ユニット４０３５と、を含む。
【００８５】
図８に示すように、調整モジュール４０４は、インテリジェント冷蔵庫内の第一の食材の処理モード及びその食材の格納エリアを取得するように構成される第八の取得ユニット４０４１と、格納エリアの動作モードをオリジナルの動作モードから第一の時点より前の処理期間の第一の時刻における処理モードに対応する動作モードに調整するように構成される第一の調整ユニット４０４２と、を含む。
【００８６】
図８に示すように、調整モジュール４０４は、さらに、第一の食材が第一の時点で取り出されないことが検出される場合に第一の食材を取り出す第三の時点を決定するように構成される第五の決定ユニット４０４３と、格納エリアの動作モードをオリジナルの動作モードに設定するように構成される設定ユニット４０４４と、格納エリアの動作モードをオリジナルの動作モードから第三の時点より前の処理期間の第二の時刻における処理モードに対応する動作モードに調整するように構成される第二の調整ユニット４０４５と、を含む。
【００８７】
本開示のこの実施形態では、食事のためのユーザリストを決定することと、ユーザリストに従って食事に用いられる食材及び食材を処理する処理期間を決定することと、食材を取り出す第一の時点を決定することとによって、冷蔵庫の動作モードが、第一の時点及び処理期間に従って調整される。このようにして、ユーザが食材を取り出す前に、冷蔵庫の動作モードの自動的な調整を達成できる。その結果、ユーザが食材を取り出す前に、冷蔵庫が前処理を完了させるので、冷蔵庫による食材の前処理効率、及び、マンマシンインタラクションが改善される。
【００８８】
図９を参照すると、上記の例示的な実施形態によって提供されるモード調整装置に対応する、本開示の別の例示的な実施形態は、インテリジェントデバイス９００を提供する。例えば、インテリジェントデバイス９００は、インテリジェント冷蔵庫とすることができる。
【００８９】
図９を参照すると、デバイス９００は、一以上の以下のコンポーネントを含むことができる。すなわち、プロセッシングコンポーネント９０２、メモリ９０４、電力コンポーネント９０６、マルチメディアコンポーネント９０８、オーディオコンポーネント９１０、入出力（Ｉ／Ｏ：input/output）インターフェイス９１２、センサコンポーネント９１５、及び、通信コンポーネント９１６を含むことができる。
【００９０】
プロセッシングコンポーネント９０２は、一般に、表示、電話の呼び出し、データ通信、カメラ操作、及び、記録操作等に関連する、デバイス９００の全操作を制御する。プロセッシングコンポーネント９０２は、上述の方法における全て又は一部のステップを行うための命令を実行する一以上のプロセッサ９２０を含むことができる。さらに、プロセッシングコンポーネント９０２は、プロセッシングコンポーネント９０２と他のコンポーネントとの間の相互作用を容易にする１以上のモジュールを含むことができる。例えば、プロセッシングコンポーネント９０２は、マルチメディアコンポーネント９０８とプロセッシングコンポーネント９０２との間の相互作用を容易にするため、マルチメディアモジュールを含むことができる。
【００９１】
メモリ９０４は、デバイス９００の操作をサポートするため、様々なタイプのデータを記憶するように構成される。このようなデータの例は、デバイス９００で操作されるいずれかのアプリケーション又は方法のための命令であるコンタクトデータ、電話帳データ、メッセージ、写真、ビデオ等が含まれる。メモリ９０４は、スタティックランダムアクセスメモリ（ＳＲＡＭ：static random access memory）、電気的に消去可能なプログラマブル読出専用メモリ（ＥＥＰＲＯＭ：electrically erasable programmable read-only memory）、消去可能なプログラマブル読出専用メモリ（ＥＰＲＯＭ：erasable programmable read-only memory）、プログラマブル読出専用メモリ（ＰＲＯＭ：programmable read-only memory），読出専用メモリ（ＲＯＭ：read-only memory）、磁気メモリ、フラッシュメモリ、磁気ディスク又は光ディスク等の、いずれかの種類の揮発性若しくは不揮発性のメモリデバイス、又は、これらの組み合わせを用いて実施されてもよい。
【００９２】
電力コンポーネント９０６は、デバイス９００の様々なコンポーネントに電力を提供する。電力コンポーネント９０６は、電力管理システム、１以上の電源、並びに、デバイス９００での電力の発生、管理、及び、分配に関連する他の如何なるコンポーネントを含んでもよい。
【００９３】
マルチメディアコンポーネント９０８は、デバイス９００とユーザとの間の出力インターフェイスを提供するスクリーンを含む。いくつかの実施形態では、このスクリーンは、液晶表示（ＬＣＤ：liquid crystal display）及びタッチパネル（ＴＰ：touch panel）を含むことができる。スクリーンがタッチパネルを含む場合、スクリーンは、ユーザからの入力信号を受けるためのタッチスクリーンとして実施されてもよい。このタッチパネルは、タッチパネル上のタッチ、スワイプ、及び、ジェスチャーをセンスするための一以上のタッチセンサを含む。タッチセンサは、タッチ動作又はスワイプ動作の境界をセンスできるだけでなく、タッチ動作又はスワイプ動作に関する時間及び圧力をセンスすることができる。いくつかの実施形態では、マルチメディアコンポーネント９０８は、前方カメラ及び／又は後方カメラを含む。前方カメラ及び後方カメラは、デバイス９００が、写真撮影方式又はビデオ方式等の操作方式にある間、外部のマルチメディアデータを受けることができる。各前方カメラ及び後方カメラは、固定された光学レンズシステムであってもよく、又は、焦点及び光学ズーム性能を有していてもよい。
【００９４】
オーディオコンポーネント９１０は、オーディオ信号を出力及び／又は入力するように構成される。例えば、オーディオコンポーネント９１０は、デバイス９００が、呼び出し方式、記録方式、及び、音声認識方式等の操作方式にある場合、外部のオーディオ信号を受けるように構成されるマイクロフォン（ＭＩＣ：microphone）を含む。受けられたオーディオ信号は、メモリ９０４に記憶されてもよく、又は、通信コンポーネント９１６を通じて伝送されてもよい。いくつかの実施形態では、オーディオコンポーネント９１０は、オーディオ信号を出力するためのスピーカーを含む。
【００９５】
Ｉ／Ｏインターフェイス９１２は、キーボード、クリックホイール、ボタン等の周辺インターフェースモジュールとプロセッシングコンポーネント９０２との間のインターフェイスを提供する。ボタンは、ホームボタン、音量ボタン、スタートボタン、及びロックボタンを含むことができるが、これらに限定されるものではない。
【００９６】
センサコンポーネント９１５は、デバイス９００の様々な態様の状態評価を提供するための一以上のセンサを含む。例えば、センサコンポーネント９１５は、デバイス９００の開／閉ステータス、デバイス９００の、例えば、ディスプレイ及びキーパッド等のコンポーネントの相対的位置、デバイス９００又はデバイス９００のコンポーネントの位置の変化、デバイス９００とのユーザの接触の有無、デバイス９００の向き又は加速／減速、及び、デバイス９００の温度変化、を検出することができる。センサコンポーネント９１５は、如何なる物理的な接触がなくても近くの物体の存在を検出するように構成される近接センサを含むことができる。また、センサコンポーネント９１５は、イメージングアプリケーションで用いるための、ＣＭＯＳ又はＣＣＤイメージセンサ等の光センサを含むことができる。いくつかの実施形態では、センサコンポーネント９１５は、更に、加速度センサ、ジャイロスコープセンサ、磁気センサ、圧力センサ、又は、温度センサを含むことができる。
【００９７】
通信コンポーネント９１６は、デバイス９００と他のデバイスとの間の、有線又は無線の通信を容易にするように構成される。デバイス９００は、ＷｉＦｉ、２Ｇ、若しくは、３Ｇ、又は、これらの組み合わせ等の通信規格に基づき、無線ネットワークにアクセスできる。一の例示的な実施形態では、通信コンポーネント９１６は、放送チャンネルを通じて、外部放送管理システムから、放送信号又は放送関連情報を受ける。一の例示的な実施形態では、通信コンポーネント９１６は、短距離通信を容易にするため近距離通信（ＮＦＣ：near field communication）モジュールを含む。例えば、ＮＦＣモジュールは、無線周波数識別（ＲＦＩＤ：radio frequency identification）技術、赤外線データ協会（ＩｒＤＡ：infrared data association）技術、超広帯域（ＵＷＢ：ultra-wideband）技術、ブルートゥース（登録商標）（ＢＴ：Bluetooth）技術、及び、他の技術に基づいて実施されてもよい。
【００９８】
例示的な実施形態では、デバイス９００は、上述の方法を行うため、一以上の、特定用途向け集積回路（ＡＳＩＣｓ：application specific integrated circuits）、ディジタル信号プロセッサ（ＤＳＰｓ：digital signal processors）、ディジタル信号プロセッシングデバイス（ＤＳＰＤｓ：digital signal processing devices）、プログラマブル論理デバイス（ＰＬＤｓ：programmable logic devices）、フィールドプログラマブルゲートアレイ（ＦＰＧＡｓ：field programmable gate arrays）、コントローラ、マイクロコントローラ、マイクロプロセッサ、又は、他の電子コンポーネントと、共に実施されてもよい。
【００９９】
例示的な実施形態では、更に、上述の方法を行うための、デバイス９００のプロセッサ９２０によって実行可能であり、メモリ９０４に含まれるような、命令を含む、非一時的なコンピュータ読取可能な記憶媒体が提供される。例えば、非一時的なコンピュータ読取可能な記憶媒体は、ＲＯＭ、ＲＡＭ、ＣＤ−ＲＯＭ、磁気デープ、フロッピーディスク（登録商標）、光学データ記憶デバイス等であってもよい。
【０１００】
非一時的なコンピュータ読取可能な記憶媒体は、モバイル端末のプロセッサによって実行される場合に、モバイル端末にモード調整方法を行わせる命令をその中に記憶する。本方法は、食事のためのユーザリストを取得することと、ユーザリストに従って食事に用いられる第一の食材及びインテリジェント冷蔵庫内の第一の食材を処理する処理期間を取得することと、インテリジェント冷蔵庫から第一の食材を取り出す第一の時点を決定することと、処理期間及び第一の時点に従ってインテリジェント冷蔵庫の動作モードを調整することと、を含む。
【０１０１】
本開示の実施形態では、食事のためのユーザリストを決定することと、ユーザリストに従って食事に用いられる食材及び食材を処理する処理期間を決定することと、食材を取り出す第一の時点を決定することとによって、冷蔵庫の動作モードが、第一の時点及び処理期間に従って調整される。このようにして、ユーザが食材を取り出す前に、冷蔵庫の動作モードの自動的な調整を達成できる。その結果、ユーザが食材を取り出す前に、冷蔵庫が前処理を完了させるので、冷蔵庫による食材の前処理効率、及び、マンマシンインタラクションが改善される。
【０１０２】
本開示の他の実施形態は、本明細書で開示される実施の考慮及び開示の明細から、当業者にとって明らかであろう。この出願は、本発明の一般的概念に従って、かつ、当技術分野における公知又は慣用の範囲内で本開示から逸脱するものを含む、本発明の如何なる変形、使用、又は、適合にも及ぶことが意図されている。明細書及び実施例は、特許請求の範囲によって示される本発明の実質的な範囲及び精神により、例示としてのみ考慮されることが意図される。
【０１０３】
本発明は、上述されかつ添付の図面で例証された厳密な構成に限定されず、かつ、本発明の範囲を逸脱しない範囲で様々な修正及び変更を行うことができると理解されるであろう。本発明の範囲は、付属の特許請求の範囲によってのみ限定されるものであることが意図される。
【図１】
0006364481.tif 000002
【図２】
0006364481.tif 000003
【図３】
0006364481.tif 000004
【図４】
0006364481.tif 000005
【図５】
0006364481.tif 000006
【図６】
0006364481.tif 000007
【図７】
0006364481.tif 000008
【図８】
0006364481.tif 000009
【図９】
0006364481.tif 000010